(57)【要約】【課題】履物を前後両方のどちらの方向からも履け、足先を足先挿入部に容易に挿入させ、足先挿入部を踵で踏みつけても履き心地を損なうことがない。【解決手段】履物本体２と、足先が挿入される足先挿入部３とを備え、足先挿入部が可撓性を有し、足先挿入部が少なくとも２個設けられ、各足先挿入部が前記履物本体の長さ方向に離間して配置され、履物本体の上面には足先挿入部が踏みつけられて撓んだ際に足先挿入部が収納される溝部２ｂが形成されている。好ましくは、足先挿入部が略帯状形状に形成され、足先挿入部が履物本体とは別体に形成され履物本体及び足先挿入部にはこれらを相互に着脱自在連結する連結部（布状部材３ａ、係合端部３ｂ、接続部３ｃ）が形成され、さらに足先挿入部が履物本体に一体に形成されてもよく、２個の足先挿入部の間の間隔が履物本体の長さの３０％〜７０％になっているものでもよい。【選択図】図１
2006247111.tif 000002
【特許請求の範囲】
【請求項１】
履物本体と、履物本体に形成され足先が挿入される足先挿入部とを備えた履物であって、前記足先挿入部が可撓性を有する材料から形成され、当該足先挿入部が少なくとも２個設けられ、各足先挿入部が前記履物本体の長さ方向に相互に離間して配置され、前記足先挿入部の下方に位置する前記履物本体の上面には、前記足先挿入部が踏みつけられて撓んだ際に当該足先挿入部が収納される溝部が形成されていることを特徴とする履物。
【請求項２】
前記足先挿入部が略帯状形状に形成されていることを特徴とする請求項１記載の履物。
【請求項３】
前記足先挿入部が前記履物本体とは別体に形成され、前記履物本体及び前記足先挿入部にはこれらを相互に着脱自在に連結する連結部が形成されていることを特徴とする請求項１記載の履物。
【請求項４】
前記足先挿入部が前記履物本体に一体的に形成されていることを特徴とする請求項１記載の履物。
【請求項５】
前記少なくとも２個の足先挿入部の間隔寸法が、履物本体の長さの３０％〜７０％の間隔寸法になっていることを特徴とする請求項１記載の履物。
【発明の詳細な説明】
【技術分野】
【０００１】
本発明は、サンダルやスリッパのような履物に関し、特に履物の前後両方から足を挿入して足に装着することができる履物に関する。
【背景技術】
【０００２】
一般的にサンダルやスリッパのような履物は足先が挿入される一つの足先挿入部を備え、当該足先挿入部に履物の一方向から足を挿入して足に装着するものである。このものでは、一方向からのみ履くことができるもので、トイレなどの狭い場所での脱ぎ直しが不便であった。このような不便を解消するために履物の前後どちらの方向からも履くことのできる履物が考案されている（特許文献１参照）。
【特許文献１】特開平８−１１２１０１
【発明の開示】
【発明が解決しようとする課題】
【０００３】
特許文献１に示されたスリッパのような履物では、２個の足先挿入部（つっかけ部）の間隔が狭いので足先を足先挿入部に挿入し難い。また、一方のつっかけ部に足先を挿入して他方のつっかけ部を踵で踏みつけて足に装着した際に、潰れたつっかけ部の厚みのため履き心地が良くない。
【０００４】
本発明はかかる事情に鑑みてなされたもので、履物を前後両方のどちらの方向からも履くことができ、しかもどちらから履く場合でも足先を足先挿入部に容易に挿入して足に係止させることができ、足先挿入部を踵で踏みつけて履いた場合履き心地を損なうことがない履物を提供することを目的とする。
【課題を解決するための手段】
【０００５】
（１）履物本体と、履物本体に形成され足先が挿入される足先挿入部とを備えた履物であって、前記足先挿入部が可撓性を有する材料から形成され、当該足先挿入部が少なくとも２個設けられ、各足先挿入部が前記履物本体の長さ方向に相互に離間して配置され、前記足先挿入部の下方に位置する前記履物本体の上面には、前記足先挿入部が踏みつけられて撓んだ際に当該足先挿入部が収納される溝部が形成されている。
（２）前記足先挿入部が略帯状形状に形成されている。
（３）前記足先挿入部が前記履物本体とは別体に形成され、前記履物本体及び前記足先挿入部にはこれらを相互に着脱自在に連結する連結部が形成されている。
（４）前記足先挿入部が前記履物本体に一体的に形成されている。
（５）前記少なくとも２個の足先挿入部の間隔寸法が、履物本体の長さの３０％〜７０％の間隔寸法になっている。
【発明の効果】
【０００６】
（１）履物本体に形成された一方の足先挿入部に足先を挿入するとともに他方の足先挿入部を踵で踏みつけることにより履物を足に装着することができる。挿入する足先挿入部及び踏みつける足先挿入部を交換することにより履物を前後方向両側から足に装着することができる。また、足先挿入部を踏みつけた際に踏みつけられた足先挿入部が履物本体に形成された溝部に収納されるので履物本体上面からの突出部分を少なくすることができ、これにより踵部付近の違和感が緩和され履き心地が損なわれることが低減できる。
（２）足先挿入部が略帯状形状に形成されているので、踏みつけて撓ませた際に無理なく平板状に撓ませることができる。
（３）足先挿入部を履物本体から取り外したり、足先挿入部の長さを調整したりすることができる。
（４）足先挿入部が履物本体に一体化されているので、構造や製造方法を簡素化することができ、製造コストの面からも有利である。
（５）足先挿入部間の間隔が３０％〜７０％の間隔寸法となるように形成されているので、一方の足先挿入部に足先を挿入する際に他方の足先挿入部が邪魔にならず、円滑かつスムーズに足先を挿入することができる。
【発明を実施するための最良の形態】
【０００７】
本発明の実施の一形態に係る履物について、図面を参照して説明する。
【０００８】
図１に示すように、本履物１は、いわゆるスリッパやサンダルのような履物であり、平板状の履物本体２と、当該履物本体２に形成され足先が挿入される足先挿入部３とを備えて概略構成される。履物本体２の裏面には滑り止めのための加工や形状が施された底面部材が取り付けられ、履物本体２の表面には足の裏が接する表面部材２ａが形成されている。平面部材は清掃が容易にできるように塩化ビニール等の材料製の平滑表面を備えた材料から形成されている。
【０００９】
履物１に形成された足先挿入部３は可撓性を有する材料例えば塩化ビニール等の材料から形成されている。各足先挿入部３は略帯状形状（ベルト状）に形成されており、足先挿入部３は上方から踵により踏むことにより潰れて撓んで履物本体２の表面に密着する。
【００１０】
また、足先挿入部は少なくとも２個（図では２個）設けられおり、各足先挿入部３が履物本体２の長さ方向に相互に離間して配置されている。これらの２個の足先挿入部３の間の間隔寸法は、履物１を足に装着する際の余裕を与えるためであり、履物本体の長さの３０％〜７０％、好ましくは４０％〜７０％、さらに好ましくは５０％〜７０％の間隔寸法になっている。
【００１１】
各足先挿入部３の下方に位置する履物本体２の上面には、各足先挿入部が踏みつけられて潰れて撓んだ際に各足先挿入部３が収納される溝部２ｂが形成されている。溝部２ｂは履物本体２を横切るように配置され溝部２ｂの表面にも表面部材２ａと同様な材料で被覆がされている。各足先挿入部３は略帯状形状（ベルト状）に形成されており、図３に示すように、足先挿入部３を上方から踵などにより踏んで撓ませて潰した場合に、潰された足先挿入部３は溝部２ｂ内に収納されて履物本体２の表面から突出しないようになっている。
【００１２】
各足先挿入部３と履物本体２とは別体に形成されている。図２に示すように、履物本体２の溝部２ｂの両側開放部には裏面にマジックテープ（登録商標）からなる接続部３ｃが設けられた布状部材３ａが固定されている。足先挿入部３の両端部には布状部材の接続部３ｃと係合するマジックテープ（登録商標）からなる接続部３ｃが設けられた係合端部３ｂが形成されている。これら布状部材３ａと係合端部３ｂとは足先挿入部３と履物本体２とを相互に着脱自在に連結する連結部を構成する。
【００１３】
なお、図１に示す実施の形態では、足先挿入部３を履物本体２と別体にして相互に連結するようにしているが、足先挿入部２と履物本体２とが相互に一体的に形成されて相互に分離できないものであってもよい。
【００１４】
本実施の形態に係る履物１の使用方法について説明する。本履物１は、履物１の向きを変えることなく履物１の前後両側から足に装着することができるものである。すなわち、一方の足先挿入部３の足先を挿入するとともに、他方の足先挿入部３を踵で踏みつけて撓ませて潰すことで履物を履く。前後反対側から履物を足に装着しようとした場合には、履物１の向きはそのままにして人が後ろ側に廻って前回踏みつけた足先挿入部３に足先を挿入し、前回足先を挿入した足先挿入部３を踵で踏みつけて撓ませて潰して足に装着する。
【００１５】
このように、本履物１では、履物１の向きを変えることなく履物の前後から履物を履くことができる。したがって、トイレなどの狭い場所において使用した場合に便利であるとともに、いつも向きが揃い整理整頓を自然に行うことができる。
【００１６】
このように各足先挿入部３間の間隔が上記のように広く採ってあるので、履物１を足に装着する際に、足先を一方の足先挿入部３を、他方の足先挿入部３が邪魔になることなく、円滑かつスムーズに装着することができる。
【００１７】
足先挿入部３を踵などにより踏んで撓ませて潰した場合には、潰された足先挿入部３は溝部２ｂ内に収納されて履物本体２の表面から突出しないので、足先挿入部３が突出した場合に足裏に感ずる異物感を感じさせないので履き心地が非常に良好である。
【００１８】
足先挿入部３は布状部材３ａ及び接合端部３ｂの接続部３ｃにおける係合を解除することにより履物本体２から着脱自在に取り外すことができ、足先挿入部３及び履物本体２を水洗いや水拭きなどにより容易かつ確実に清掃することができる。
【００１９】
マジックテープ（登録商標）のような接続部３ｃで足先挿入部３及び履物本体２を連結しているので足先挿入部３の長さの調整を容易に行うことができ、各人の足の甲の大小に対応させて変更でき、各人の履き心地を良好にすることができる。
【００２０】
商品の梱包時に足先挿入部３を平面状として商品パッケージ内に収納することができ、平板状の履物本体２と相俟ってパッケージを小型化することができ、運送コストの削減に寄与する。
【００２１】
足先挿入部３のみを別売りとすれば、足先挿入部３のみが損傷したような場合に足先挿入部３のみを購入すればよく経済的である。
【００２２】
図４に本発明の実施の他の形態に係る履物を示す。このものは、帯状部材３ａの下端部３ｄを延長させて、履物本体２の裏面側にまで至るようにしたものである。帯状部材の履物本体２への固定が確実になるなどの効果を奏する。
【００２３】
図５に本発明の実施の更に他の形態に係る履物を示す。このものは、帯状部材３ａの下端部３ｄを延長させて、履物本体２の表面側（溝部２ｂ内）にまで至るようにしたものである。帯状部材の履物本体２への固定が確実になるなどの効果を奏する。
【００２４】
図６に本発明の実施の更に他の形態に係る履物を示す。このものは、履物本体２に形成された表面部材２ａの表面に耐磨耗性と剛性とを有する補強部材２ｃを貼り付けなどの方法により形成するとともに、足先挿入部３の表面に弾性を有する補強部材３ｅを貼り付けなどの方法により形成したものである。このものでは表面部材２ａの表面に形成された補強部材２ｃにより表面部材２ａの過度の沈み込みを抑制するとともに、足先挿入部３に形成された補強部材３ｅによりその強度を高められ足先を挿入しやすい形状に弾性的に保形させられるなどの効果を奏する。
【００２５】
ここでは、足先挿入部３に形成した補強部材３ｅとしては平板状のものを例示したが、足先挿入部３の両側縁又は一側縁に円弧状に湾曲したワイヤー部材を配置するものであってもよい。
【００２６】
図６に示した履物において、補強部材２ｃ及び補強部材３ｅの少なくとも一方に文字や図形が描かれたプラスチック製、布製、紙製などのシート部材を貼り付けるようにしてもよい。さらに、補強部材２ｃ及び補強部材３ｅにシート部材を貼り付けるのではなくて、補強部材２ｃ及び補強部材３ｅの少なくとも一方の表面に文字や図形を印刷などの方法で直接表示させるようにしてもよい。このものでは、表示された文字や図形によりデザイン性を高めることができるとともに、文字として会社名やスポンサー名、図形として会社のロゴなどを採用すれば、履物自体に広告宣伝用途を持たせることができる。
【００２７】
図７に本発明の実施の更に他の形態に係る履物を示す。このものは、履物本体２に取り付ける足先挿入部３についての改良であり、足先挿入部３の端部を５°〜２０°程度の角度で切断し、当該端部を履物本体２に沿わせて取り付けた際に、足先挿入部３が履物本体２の板面に対して傾いて取り付けられて足の甲の角度に近い角度が形成されるようにしたものである。このものでは、足先挿入部３の足先を挿入する際に足先挿入部３に角度が形成されているので、足先挿入部３への足先の挿入がしやくすなるとともに、足先挿入部３に足先を挿入した際に足先挿入部３が足の甲にジャストフィットして良好な装着感が得られるなどの効果を奏する。
【図面の簡単な説明】
【００２８】
【図１】本発明の実施の一形態に係る履物を示す斜視図である。
【図２】本発明の実施の一形態に係る履物の一部を示す図である。
【図３】本発明の実施の一形態に係る履物の一部を示す図である。
【図４】本発明の実施の他の形態に係る履物の一部を示す図である。
【図５】本発明の実施の更に他の形態に係る履物の一部を示す図である。
【図６】本発明の実施の更に他の形態に係る履物の一部を示す図である。
【図７】本発明の実施の更に他の形態に係る履物の一部を示す図である。
【符号の説明】
【００２９】
１    履物
２    履物本体
２ａ  表面部材
２ｂ  溝部
３    足先挿入部
３ａ  布状部材
３ｂ  係合端部
３ｃ  接続部
【図１】
2006247111.tif 000003
【図２】
2006247111.tif 000004
【図３】
2006247111.tif 000005
【図４】
2006247111.tif 000006
【図５】
2006247111.tif 000007
【図６】
2006247111.tif 000008
【図７】
2006247111.tif 000009